(57)【要約】【課題】原燃料及び水蒸気を充分に混合させる。【解決手段】水素製造装置１は、改質ガスを生成する筒状の改質部６と、改質部６の下部に同軸に設けられ改質部６に混合ガスを供給する筒状のフィード部５と、フィード部５に同軸に設けられ水蒸気を生成して該フィード部５に供給する筒状の蒸発部９と、を備えている。フィード部５は、円筒状に形成され混合ガスを流通させる混合ガス流路５ｙを有し、混合ガス流路５ｙ内には、環状の仕切り板６２が軸方向に沿って隙間を有して並設されている。隣接する仕切り板６２ａ，６２ｂのうち一方の仕切り板６２ａにおける径方向内側、及び他方の仕切り板６２ｂにおける径方向外側には、混合ガスの流通口として貫通孔６３ａ，６３ｂがそれぞれ形成されている。よって、混合ガスが径方向に繰り返し折り返されながら軸Ｇ方向に流通される。【選択図】図３
2011207713.tif 000002
【特許請求の範囲】
【請求項１】
バーナを用いて原燃料及び水蒸気を改質することにより、水素を含有する改質ガスを生成する筒状の改質部と、
前記改質部における軸方向の一方側に該軸に沿って設けられ、前記原燃料及び前記水蒸気を混合させて混合流体を生成すると共に該混合流体を前記改質部に供給する筒状のフィード部と、
前記混合部における軸方向の一方側に該軸に沿って設けられ、前記水蒸気を生成すると共に該水蒸気を前記フィード部に供給する筒状の蒸発部と、を備え、
前記フィード部は、生成された前記混合流体を流通させる混合流体流路を有し、
前記混合流体流路内には、環状の仕切り板が軸方向に沿って隙間を有して並設され、
隣接する一対の前記仕切り板のうち一方の仕切り板における径方向内側、及び他方の仕切り板における径方向外側には、前記混合流体の流通口が形成されていることを特徴とする水素製造装置。
【請求項２】
前記混合流体流路は、前記バーナの排ガスが流通する排ガス流路に隣接するように設けられていることを特徴とする請求項１記載の水素製造装置。
【請求項３】
前記仕切り板の内周縁及び外周縁の少なくとも一方には、該仕切り板を折れ曲げるようにして形成されたフランジ部が設けられていることを特徴とする請求項１又は２記載の水素製造装置。
【請求項４】
請求項１〜３の何れか一項記載の水素製造装置と、
前記水素製造装置によって生成した前記改質ガスを用いて発電を行う燃料電池スタックと、を備えたことを特徴とする燃料電池システム。
【発明の詳細な説明】
【技術分野】
【０００１】
本発明は、水素製造装置及び燃料電池システムに関する。
【背景技術】
【０００２】
従来の水素製造装置としては、バーナを用いて灯油や液化石油ガス等の原燃料を水蒸気改質することにより、水素を含有する改質ガスを生成する筒状の改質部と、改質部に原燃料及び水蒸気の混合流体を供給するフィード部と、を備えたものが知られている（例えば、特許文献１参照）。このような水素製造装置は、例えば燃料電池システムに用いられ、生成した改質ガスを燃料電池スタックに供給して発電を行う。
【先行技術文献】
【特許文献】
【０００３】
【特許文献１】特開２００９−２８０４０８号公報
【発明の概要】
【発明が解決しようとする課題】
【０００４】
ここで、上述したような水素製造装置では、混合流体中の原燃料及び水蒸気の混合が不充分となり易く、場合によっては、改質部の改質触媒においてコーキング（触媒表面に炭素が析出すること）が発生してしまうおそれがある。
【０００５】
そこで、本発明は、原燃料及び水蒸気を充分に混合させることができる水素製造装置及び燃料電池システムを提供することを課題とする。
【課題を解決するための手段】
【０００６】
上記課題を解決するため、本発明に係る水素製造装置は、バーナを用いて原燃料及び水蒸気を改質することにより、水素を含有する改質ガスを生成する筒状の改質部と、改質部における軸方向の一方側に該軸に沿って設けられ、原燃料及び水蒸気を混合させて混合流体を生成すると共に該混合流体を改質部に供給する筒状のフィード部と、混合部における軸方向の一方側に該軸に沿って設けられ、水蒸気を生成すると共に該水蒸気をフィード部に供給する筒状の蒸発部と、を備え、フィード部は、生成された混合流体を流通させる混合流体流路を有し、混合流体流路内には、環状の仕切り板が軸方向に沿って隙間を有して並設され、隣接する一対の仕切り板のうち一方の仕切り板における径方向内側、及び他方の仕切り板における径方向外側には、混合流体の流通口が形成されていることを特徴とする。
【０００７】
この水素製造装置では、蒸発部により生成された水蒸気がフィード部に供給されて混合流体が形成され、そして、混合流体流路内において、混合流体が径方向に繰り返し折り返されながら軸方向に流通される。すなわち、混合流体が、一方の仕切り板の径方向内側の流通口を通った後に径方向外側に流れ、他方の仕切り板の径方向外側の流通口を通った後に径方向内側に流れ、そして、これらが繰り返される。よって、混合流体における原燃料及び水蒸気を充分に混合させることが可能となる。
【０００８】
また、混合流体流路は、バーナの排ガスが流通する排ガス流路に隣接するように設けられていることが好ましい。この場合、バーナの排ガスの熱を利用して原燃料及び水蒸気を充分に気化させることができ、その結果、原燃料及び水蒸気を一層充分に混合させることが可能となる。
【０００９】
また、仕切り板の内周縁及び外周縁の少なくとも一方には、該仕切り板を折れ曲げるようにして形成されたフランジ部が設けられていることが好ましい。この場合、仕切り板において内周縁側及び外周縁側の少なくとも一方の強度（剛性）を高めることができる。かかる効果は、例えば穴あけ加工によって仕切り板の内周縁側又は外周縁側に流通口を形成する場合、特に有効である。また、仕切り板を積み重なるよう並設するだけで、フランジ部の高さに応じた隙間が隣接する仕切り板間に形成されることになり、よって、混合流体流路を簡易に設けることができる。
【００１０】
また、本発明に係る燃料電池システムは、上記水素製造装置と、水素製造装置によって生成した改質ガスを用いて発電を行う燃料電池スタックと、を備えたことを特徴とする。
【００１１】
この燃料電池システムにおいても、上記水素製造装置を備えているため、原燃料及び水蒸気を充分に混合させるという上記効果が奏される。
【発明の効果】
【００１２】
本発明によれば、原燃料及び水蒸気を充分に混合させることが可能となる。
【図面の簡単な説明】
【００１３】
【図１】本発明の一実施形態に係る燃料電池システムの一部を示す概略ブロック図である。
【図２】図１の水素製造装置を示す概略正面端面図である。
【図３】図１の水素製造装置のフィード部周辺を示す拡大正面端面図である。
【図４】図１の水素製造装置の仕切り板を示す平面図である。
【発明を実施するための形態】
【００１４】
以下、図面を参照しながら、本発明の好適な実施形態について詳細に説明する。なお、以下の説明では、同一又は相当要素には同一符号を付し、重複する説明は省略する。また、「上」「下」の語は、図面の上下方向に対応するものであり便宜的なものである。
【００１５】
図１は、本発明の一実施形態に係る燃料電池システムの一部を示す概略ブロック図である。図１に示すように、水素製造装置（ＦＰＳ：Fuel Processing System）１は、例えば家庭用の燃料電池システム１００において水素供給源として利用されるものである。ここでの水素製造装置１は、原燃料として石油系炭化水素が用いられ、水素を含有する改質ガスをセルスタック（燃料電池スタック）２０に供給する。
【００１６】
なお、原燃料としては、アルコール類、エーテル類、バイオ燃料、天然ガス、都市ガスを用いてもよい。また、石油系炭化水素としては、灯油、ＬＰガスのほか、ナフサ、軽油などを原燃料として使用することができる。また、セルスタック２０としては、固体高分子形、アルカリ電解質形、リン酸形、溶融炭酸塩形或いは固体酸化物形等の種々のものを用いてもよい。
【００１７】
図２は、図１の水素製造装置を示す概略正面端面図である。図１，２に示すように、水素製造装置１は、中心軸を軸Ｇとする円筒状外形の脱硫部２と、中心軸を軸Ｇとする円柱状外形の本体部３と、を備え、これらが筐体４に収容されている。また、筐体４内において脱硫部２及び本体部３の周囲には、粉状の断熱材（不図示）が充填されて断熱されている。
【００１８】
脱硫部２は、外部から導入された原燃料を脱硫触媒によって脱硫して硫黄分を除去し、この原燃料を後述のフィード部５へ供給する。脱硫部２は、筐体４の側板４ｘにパイプ２１で固定され、本体部３の上部を所定の隙間を有して囲繞するよう保持されている。本体部３は、フィード部５、改質部６、シフト反応部７、選択酸化反応部８及び蒸発部９を備え、これらが一体で構成されている。この本体部３は、筐体４の床板４ｙに筒状のステー２２により固定され保持されている。
【００１９】
フィード部５は、脱硫部２で脱硫した原燃料及び水蒸気（スチーム）を混合し、これらを改質部６に供給する。具体的には、フィード部５は、燃料配管３１からの原燃料と蒸発部９からの水蒸気とを合流・混合させて混合ガス（混合流体）を生成する混合部５ｘと、生成した混合ガスを改質部６へ流通させる混合ガス流路５ｙと、を含んでいる。
【００２０】
改質部（ＳＲ：Steam Reforming）６は、フィード部５により供給された混合ガスを改質触媒（改質触媒部）６ｘによって水蒸気改質して改質ガスを生成し、この改質ガスをシフト反応部７へ供給する。改質部６は、中心軸を軸Ｇとする円筒状外形を呈し、脱硫部２の筒内に位置するよう本体部３の上端側に設けられている。この改質部６にあっては、水蒸気改質反応が吸熱反応であるため、改質部６の改質触媒６ｘを加熱するための熱源としてバーナ１０を利用している。
【００２１】
バーナ１０では、外部から原燃料がバーナ燃料として供給されて燃焼される。このバーナ１０は、本体部３の上端部に設けられ軸Ｇを中心軸とする燃焼筒１１に、バーナ１０による火炎が取り囲まれるよう取り付けられている。なお、バーナ１０においては、脱硫部２で脱硫した原燃料の一部が、バーナ燃料として供給されて燃焼される場合もある。
【００２２】
シフト反応部７は、改質部６から供給された改質ガスの一酸化炭素濃度（ＣＯ濃度）を低下させるためのものであり、改質ガス中の一酸化炭素をシフト反応させて水素及び二酸化炭素に転換する。ここでのシフト反応部７は、シフト反応を２段階に分けて行っており、高温（例えば４００°Ｃ〜６００°Ｃ）でのシフト反応である高温シフト反応を行う高温シフト反応部（ＨＴＳ：High Temperature Shift）１２と、高温シフト反応の温度よりも低温（例えば１５０°Ｃ〜３５０°Ｃ）でのシフト反応である低温シフト反応を行う低温シフト反応部（ＬＴＳ：Low Temperature Shift）１３と、を有している。
【００２３】
高温シフト反応部１２は、改質部６から供給された改質ガス中の一酸化炭素を高温シフト触媒１２ｘによって高温シフト反応させ、改質ガスのＣＯ濃度を低下させる。高温シフト反応部１２は、中心軸を軸Ｇとする円筒状外形を呈しており、高温シフト触媒１２ｘが改質触媒６ｘを囲繞するよう改質部６の径方向外側に隣接配置されている。この高温シフト反応部１２は、ＣＯ濃度を低下させた改質ガスを低温シフト反応部１３へ供給する。
【００２４】
低温シフト反応部１３は、高温シフト反応部１２で高温シフト反応させた改質ガス中の一酸化炭素を低温シフト触媒１３ｘによって低温シフト反応させ、改質ガスのＣＯ濃度を低下させる。低温シフト反応部１３は、中心軸を軸Ｇとする円筒状外形を呈しており、高温シフト反応部１２の下方側に配設されている。この低温シフト反応部１３は、ＣＯ濃度を低下させた改質ガスを選択酸化反応部８へ供給する。
【００２５】
選択酸化反応部（ＰＲＯＸ：Preferential Oxidation）８は、低温シフト反応部１３で低温シフト反応させた改質ガス中のＣＯ濃度をさらに低下させる。これは、セルスタック２０に高濃度の一酸化炭素を供給すると、セルスタック２０の触媒が被毒して大きく性能低下するためである。この選択酸化反応部８は、具体的には、改質ガス中の一酸化炭素と空気配管１５を介して導入される空気とを選択酸化触媒８ｘで反応させて選択的に酸化し、二酸化炭素に転換する。選択酸化反応部８は、中心軸を軸Ｇとする円筒状外形を呈しており、低温シフト反応部１３の下方側に配設されている。
【００２６】
この選択酸化反応部８は、ＣＯ濃度をさらに低下させた改質ガスを、熱交換部１６が設けられた改質ガス配管１４を介して外部へ導出する。熱交換部１６は、改質ガス配管１４内を流通する改質ガスと、外部から水配管１７ｘを介して導入された水との間で熱交換を行うと共に、この水を蒸発部９に水配管１７ｙを介して供給する。
【００２７】
蒸発部９は、熱交換部１６から供給された水を気化させて水蒸気を生成する。蒸発部９は、ジャケット型のものであり、中心軸を軸Ｇとする円筒状を呈している。この蒸発部９は、低温シフト反応部１３及び選択酸化反応部８の径方向内側に隣接するように配設されている。蒸発部９は、生成した水蒸気をフィード部５に供給する。
【００２８】
このような水素製造装置１では、まず、バーナ燃料及びセルスタック２０からのオフガス(セルスタック２０で反応に使用されない残ガス)の少なくとも一方と空気とがバーナ１０に供給されて燃焼され、かかる燃焼によって改質触媒６ｘが加熱される。そして、バーナ１０の排ガスが排ガス流路Ｌ１及びガス配管１８を流通して外部へ排気される。
【００２９】
これと共に、脱硫部２で脱硫された原燃料と蒸発部９からの水蒸気とが混合部５ｘで合流・混合され、混合ガスが生成される。この混合ガスは、混合ガス流路５ｙを介して改質部６に供給されて改質触媒６ｘで水蒸気改質され、これにより、改質ガスが生成される。そして、生成された改質ガスは、シフト反応部７によってその一酸化炭素濃度が例えば１％以下程度まで低下され、選択酸化反応部８によってその一酸化炭素濃度が１０ｐｐｍ以下まで低下された後、熱交換部１６で冷却され、後段のセルスタック２０へ導出される。
【００３０】
なお、本実施形態においては、例えば各触媒６ｘ，１２ｘ，１３ｘ，８ｘにて触媒反応を好適に行うため、次のように各部位の温度が設定されている。すなわち、改質部６に流入する混合ガスの温度が約３００〜５５０℃とされ、改質部６から流出する改質ガスの温度が５５０℃〜８００℃とされ、高温シフト反応部１２に流入する改質ガスの温度が４００℃〜６００℃とされ、高温シフト反応部１２から流出する改質ガスの温度が３００℃〜５００℃とされている。また、低温シフト反応部１３に流入する改質ガスの温度が１５０℃〜３５０℃とされ、低温シフト反応部１３から流出する改質ガスの温度が１５０℃〜２５０℃とされ、選択酸化反応部８に流入する改質ガスの温度が９０℃〜２１０℃（１２０℃〜１９０℃）とされている。
【００３１】
次に、本実施形態の蒸発部９及びフィード部５について、より詳細に説明する。
【００３２】
図３は、図１の水素製造装置のフィード部周辺を示す拡大正面端面図である。図３に示すように、水素製造装置１では、ジャケット型の蒸発部９の上部に水蒸気と原燃料を混合させて流通させる筒状のフィード部５が配設され、そして、このフィード部５の上部に筒状の改質部６が配設されている。
【００３３】
フィード部５は、下端部の径方向外側が蒸発部９と連通しており、下端部の径方向外側から水蒸気が流入されるようになっている。また、このフィード部５の径方向内側には、上下方向に延在する燃料配管３１がフィード部５内に突き出るよう挿設され、これにより、混合部５ｘが構成されている。
【００３４】
フォード部５の混合ガス流路５ｙは、混合ガスを混合・拡散させながら改質部６へ流通させる。具体的には、混合ガス流路５ｙは、中心軸を軸Ｇとし、改質部６と等しい外径及び内径を有する筒状に形成され、軸Ｇ方向における改質部６と蒸発部９との間に配置されている。そして、混合ガス流路５ｙは、下端側から上端側へと混合ガスを流通させて該混合ガスを改質部６の下端側へと供給する。
【００３５】
また、混合ガス流路５ｙは、その内側に排ガス流路Ｌ１が隣接されている。また、混合ガス流路５ｙ内には、円環状の仕切り板６２が軸Ｇ方向に沿って隙間を有して並設され、混合ガス流路５ｙの内部が複数の円筒状区画Ａに仕切られている。
【００３６】
図４は、図１の水素製造装置の仕切り板を示す平面図である。図３，４（ａ）に示すように、隣接する仕切り板６２のうち一方の仕切り板６２ａにおいて径方向内側には、混合ガスの流通口として、複数の貫通孔６３ａが周方向に等間隔で形成されている。この仕切り板６２ａの上面における内周縁には、該仕切り板６２ａを直角に屈曲させるようにして形成されたフランジ部６４ａが設けられている。
【００３７】
一方、図３，４（ｂ）に示すように、隣接する仕切り板６２のうち他方の仕切り板６２ｂにおいて径方向外側には、混合ガスの流通口として、複数の貫通孔６３ｂが周方向に等間隔で形成されている。この仕切り板６２ｂの上面における外周縁には、該仕切り板６２ｂを直角に屈曲させるようにして形成されたフランジ部６４ｂが設けられている。
【００３８】
これら仕切り板６２ａ，６２ｂは、その板面が軸Ｇに直交（交差）する状態で、互い違いになるよう軸Ｇ方向に複数積み重ねられている。このとき、仕切り板６２ａのフランジ部６４ａの先端部は仕切り板６２ｂに当接されると共に、仕切り板６２ｂのフランジ部６４ｂの先端部は仕切り板６２ａに当接されている。
【００３９】
以上のように構成された本実施形態では、蒸発部９において、熱交換部１６から供給された水が内部に貯留されると共に、この水が低温シフト反応部１３、選択酸化反応部８及び排ガス流路Ｌ１から移動させた（低温シフト反応部１３、選択酸化反応部８及び排ガスを冷却して得た）熱で気化されて水蒸気が生成される。そして、この水蒸気がフィード部５に供給される。
【００４０】
続いて、フィード部５の混合部５ｘにおいて、供給された水蒸気に燃料配管３１から導入された原燃料が合流されて混合され、混合ガスが生成される。このとき、燃料配管３１から流出する原燃料は、水蒸気の潜熱を利用して確実に気化される。
【００４１】
そして、フィード部５の混合ガス流路５ｙにおいて、混合ガスが径方向に沿って繰り返し折り返されながら軸方向に沿って流通される。すなわち、混合部５ｘで生成された混合ガスは、仕切り板６２ａの貫通孔６３ａを上方向に通過した後、径方向外側に向けて放射状に流れ、仕切り板６２ｂの貫通孔６３ｂを上方向に通過した後、径方向内側に向けて放射状に流れ、そして、これらが繰り返されることとなる。その後、混合ガスが改質部６に供給される。
【００４２】
以上、本実施形態では、ジャケット型（筒状）の蒸発部９の上部に、混合部５ｘを有する筒状のフィード部５が配設される場合でも、混合ガスの流れを好適に乱して攪拌し、混合ガスにおける原燃料及び水蒸気を充分に混合させることが可能となる。
【００４３】
なお、このように、ジャケット型（筒状）の蒸発部９の上部に筒状のフィード部５が配設され、この筒状のフィード部５にて原燃料と水蒸気とが合流され混合される場合、原燃料と水蒸気とが軸Ｇ位置で合流されて混合される場合に対し、混合ガスが均一且つ充分に混合されないことが懸念される。この点、本実施形態では、上述したように、混合ガスの流れを好適に乱して攪拌できることから、かかる場合でも、混合ガスにおける原燃料及び水蒸気を充分に混合させることが可能となる。
【００４４】
また、本実施形態では、上述したように、混合ガス流路５ｙが排ガス流路Ｌ１に隣接しているため、バーナ１０の排ガスの熱を利用して原燃料及び水蒸気を充分に気化させることができる。その結果、原燃料及び水蒸気を一層充分に混合させることが可能となる。
【００４５】
また、本実施形態では、上述したように、仕切り板６２ａの内周縁及び仕切り板６２ｂの外周縁に、フランジ部６４ａ，６４ｂがそれぞれ設けられている。そのため、仕切り板６２ａの内周縁側、及び仕切り板６２ｂの外周縁側で強度（剛性）を高めることができる。かかる効果は、例えば穴あけ加工によって貫通孔６３ａ，６３ｂを形成する場合に、特に有効なものとなる。
【００４６】
また、上述したように、仕切り板６２ａ，６２ｂにフランジ部６４ａ，６４ｂがそれぞれ形成されていることから、次の効果を奏する。つまり、仕切り板６２ａ，６２ｂを積み重なるよう並設するだけで、フランジ部６４ａ，６４ｂの高さに応じた隙間が仕切り板６２ａ，６２ｂの間に形成されることになり、よって、混合ガス流路５ｙを簡易に設けることができる。さらに、フランジ部６４ａ，６４ｂの高さを適宜設定するだけで、仕切り板６２ａ，６２ｂ間の隙間を所望に設定することが可能となる。
【００４７】
以上、本発明の好適な実施形態について説明したが、本発明に係る水素製造装置及び燃料電池システムは、実施形態に係る上記水素製造装置１及び上記燃料電池システム１００に限られるものではなく、各請求項に記載した要旨を変更しない範囲で変形し、又は他のものに適用したものであってもよい。
【００４８】
例えば、水素製造装置の配置構成については、上記水素製造装置１を上下反転したような配置構成（例えば、バーナ１０が下部に設置されて構成された水素製造装置）としてもよく、限定されるものではない。また、上記実施形態の水素製造装置１は、脱硫部２を備えない場合もある。また、改質部６は、原燃料及び水蒸気を改質するものであればよい。
【００４９】
また、上記実施形態は、改質ガス中の一酸化炭素をシフト反応させるものとして高温シフト反応部１２及び低温シフト反応部１３を備えているが、低温シフト反応部１３のみ備えていてもよい。
【００５０】
ちなみに、上記の「筒状」とは、略円筒状だけでなく、略多角筒状を含むものである。また、略円筒状及び略多角筒状とは、円筒状及び多角筒状に概略等しいものや、円筒状及び多角筒状の部分を少なくとも含むもの等の広義の円筒状及び多角筒状を意味している。また、上記実施形態は、好ましいとして、中心軸を軸Ｇとする同軸構成とされているが、本発明は、略同軸構成又は軸Ｇに沿った構成とされていてもよい。
【符号の説明】
【００５１】
１…水素製造装置、５…フィード部、５ｙ…混合ガス流路（混合流体流路）、６…改質部、９…蒸発部、１０…バーナ、２０…セルスタック（燃料電池スタック）、６２…仕切り板、６２ａ…仕切り板（一方の仕切り板）、６２ｂ…仕切り板（他方の仕切り板）、６３ａ，６３ｂ…貫通孔（流通口）、６４ａ，６４ｂ…フランジ部、１００…燃料電池システム、Ｇ…軸、Ｌ１…排ガス流路。
【図１】
2011207713.tif 000003
【図２】
2011207713.tif 000004
【図３】
2011207713.tif 000005
【図４】
2011207713.tif 000006